(57)【要約】【課題】取り扱うデータ量が増大しても、ちらつきの発生による表示品質の低下を招くことがない波形表示装置及び波形表示方法を提供する。【解決手段】波形測定装置１は、アクイジションメモリ１４に記憶された波形データを用いてディスプレイ１７に表示すべき波形の画像データを作成するデータ処理回路１３と、データ処理回路１３によって作成される画像データを一時的に記憶する表示メモリ１５ａ，１５ｂを有する表示メモリ部１５と、表示メモリ部１５の表示メモリ１５ａに対する画像データの書き込みと表示メモリ１５ｂに記憶された画像データの読み出しとを排他的に行い、表示メモリ部１５の表示メモリ１５ａに記憶された画像データの読み出しと表示メモリ１５ｂに対する画像データの書き込みとを排他的に行う表示処理回路１６とを有する波形表示装置を備える。【選択図】図１
2010096517.tif 000002
【特許請求の範囲】
【請求項１】
波形データを用いてディスプレイに表示すべき波形の画像データを作成するデータ処理部を備えており、当該データ処理部で作成された画像データを前記ディスプレイに出力することにより前記波形の表示を行う波形表示装置において、
前記データ処理部によって作成される画像データを一時的に記憶する第１，第２記憶領域を有するメモリ部と、
前記メモリ部の前記第１記憶領域に対する画像データの書き込みと前記第２記憶領域に記憶された画像データの読み出しとを排他的に行い、前記メモリ部の前記第１記憶領域に記憶された画像データの読み出しと前記第２記憶領域に対する画像データの書き込みとを排他的に行う表示処理部と
を備えることを特徴とする波形表示装置。
【請求項２】
前記メモリ部は、画像データの入出力ポートを１つのみ備えており、
前記表示処理部は、前記入出力ポートを介して、前記メモリ部の前記第１記憶領域に対する画像データの書き込み及び読み出し、並びに、前記メモリ部の前記第２記憶領域に対する画像データの書き込み及び読み出しを行う
ことを特徴とする請求項１記載の波形表示装置。
【請求項３】
前記表示処理部は、排他的に行われる前記メモリ部の前記第１記憶領域に対する画像データの書き込み及び前記第２記憶領域に記憶された画像データの読み出しと、排他的に行われる前記メモリ部の前記第１記憶領域に記憶された画像データの読み出し及び前記第２記憶領域に対する画像データの書き込みとを垂直帰線期間内に切り替えることを特徴とする請求項１又は請求項２記載の波形表示装置。
【請求項４】
前記メモリ部は、前記第１，第２記憶領域に加えて、前記データ処理部によって作成される画像データを一時的に記憶する第３記憶領域を有しており、
前記表示処理部は、前記第１，第２，第３記憶領域のうちの画像データの読み出しが行われていない２つの記憶領域のうちの何れか一方の記憶領域に対する画像データの書き込みが終了した場合に、何れか他方の記憶領域に対する画像データの書き込みを開始することを特徴とする請求項１から請求項３の何れか一項に記載の波形表示装置。
【請求項５】
前記表示処理部は、前記第１，第２，第３記憶領域のうちの画像データの読み出しが行われていない２つの記憶領域に対する画像データの書き込みが垂直帰線期間において終了してる場合には、より新しい画像データが書き込まれている記憶領域から画像データの読み出しを行う
ことを特徴とする請求項４記載の波形表示装置。
【請求項６】
波形データを用いてディスプレイに表示すべき波形の画像データを作成し、当該画像データを前記ディスプレイに出力することにより前記波形の表示を行う波形表示方法において、
前記画像データを一時的に記憶する第１，第２記憶領域を有するメモリ部の前記第１記憶領域に対する画像データの書き込みと前記第２記憶領域に記憶された画像データの読み出しとを排他的に行う第１ステップと、
前記メモリ部の前記第１記憶領域に記憶された画像データの読み出しと前記第２記憶領域に対する画像データの書き込みとを排他的に行う第２ステップとを
を含むことを特徴とする波形表示方法。
【発明の詳細な説明】
【技術分野】
【０００１】
本発明は、電圧波形、電流波形、その他の各種波形を表示する波形表示装置及び波形表示方法に関する。
【背景技術】
【０００２】
オシロスコープやスペクトラムアナライザー等の波形測定装置は、周知の通り、電気信号の経時的な変化や周波数分布等を示す波形をＣＲＴ（Cathode Ray Tube）やＬＣＤ（Liquid Crystal Display）等のディスプレイに表示する。これらの波形測定装置は、波形を動画のように表示するために、電気信号を測定して得られた波形データを用いて画像データを作成してディスプレイに出力する波形表示装置を備える。
【０００３】
具体的に、波形表示装置は、波形データを用いてディスプレイに表示すべき波形の画像データを作成するデータ処理回路と、データ処理回路によって作成される画像データを一時的に記憶する表示メモリと、データ処理回路によって作成される画像データを表示メモリに書き込むとともに、表示メモリに書き込まれた画像データを読み出してディスプレイに出力する表示処理回路とを備える。この波形表示装置では、表示処理回路によって、ディスプレイに表示すべき１画面分の画像データが垂直帰線期間内に一括して表示メモリに書き込まれ、表示メモリに書き込まれた画像データが所定のタイミングで１ライン（１走査線）分ずつ読み出されて順次ディスプレイに出力される。
【０００４】
波形表示装置においては、表示メモリからの画像データの読み出しが滞るとディスプレイの表示が乱れてしまうため、表示メモリからの画像データの読み出しは、表示メモリに対する画像データの書き込みよりも優先される。従って、表示メモリに対する画像データの書き込みは、表示メモリからの画像データの読み出しが行われてない間に行う必要がある。
【０００５】
ここで、ディスプレイに対する画像データの表示が行われる期間（垂直表示期間）内においても、表示メモリからの１ライン分の画像データの読み出しが終了してから次の１ライン分の画像データの読み出しが開始されるまでの間であれば、表示メモリに対する画像データの書き込みを行うことは可能である。しかしながら、このような期間に画像データの書き込みを行うと、前後する画像データが混じった不連続な画像がディスプレイに表示されるため、ディスプレイの表示がちらついてしまう。このようなちらつきの発生を防止するために、従来の波形表示装置は、上述の通り、表示メモリに対する画像データの書き込みを垂直帰線期間内に一括して行っている。
【０００６】
尚、上述した波形測定装置が備える波形表示装置の詳細については、例えば以下の特許文献１，２を参照されたい。
【特許文献１】特開平０２−３０７０６５号公報
【特許文献２】特開２００４−２７１２９６号公報
【発明の開示】
【発明が解決しようとする課題】
【０００７】
ところで、近年の波形測定装置は、ユーザの利便性を高めるために高機能化が図られている。例えば、波形測定装置の一種であるディジタルオシロスコープを例に挙げると、複数波形の同時測定を可能とする機能（複数チャネル測定機能）を始めとして、繰り返し波形の出現頻度に応じた濃淡表示を可能とする機能（濃淡表示機能）等の機能が設けられている。ここで、上記の濃淡表示機能を用いると、設定されたトリガに対して波形データが繰り返し取得され、これらの波形データがトリガを基準として重ね合わされ、波形（サンプルデータ）の出現頻度に応じた濃淡表示が行われる。
【０００８】
このように、波形測定装置の多機能化に伴って波形測定装置で取り扱われる波形データのデータ量が飛躍的に増大しており、当然ながら、波形表示装置が取り扱うべき波形データのデータ量も飛躍的に増大している。取り扱うべき波形データのデータ量が増大すると、１画面分の画像データを作成して表示メモリに書き込む迄に要する時間が長くなってしまい、垂直帰線期間内に表示メモリに対する画像データの書き込みが終了しない状況が生ずる。すると、垂直表示期間内においても表示メモリに対する画像データの書き込みをせざるを得ず、前述したちらつきの発生によってディスプレイに表示される画像の表示品質が悪くなるという問題があった。
【０００９】
本発明は上記事情に鑑みてなされたものであり、取り扱うデータ量が増大しても、ちらつきの発生による表示品質の低下を招くことがない波形表示装置及び波形表示方法を提供することを目的とする。
【課題を解決するための手段】
【００１０】
上記課題を解決するために、本発明の波形表示装置は、波形データを用いてディスプレイ（１７）に表示すべき波形の画像データを作成するデータ処理部（１３）を備えており、当該データ処理部で作成された画像データを前記ディスプレイに出力することにより前記波形の表示を行う波形表示装置において、前記データ処理部によって作成される画像データを一時的に記憶する第１，第２記憶領域（１５ａ、１５ｂ）を有するメモリ部（１５、２０）と、前記メモリ部の前記第１記憶領域に対する画像データの書き込みと前記第２記憶領域に記憶された画像データの読み出しとを排他的に行い、前記メモリ部の前記第１記憶領域に記憶された画像データの読み出しと前記第２記憶領域に対する画像データの書き込みとを排他的に行う表示処理部（１６、２１）とを備えることを特徴としている。
この発明によると、データ処理部で作成された画像データの第１領域に対する書き込みと第２記憶領域に記憶された画像データの読み出しとが排他的に行われ、メモリ部の第１記憶領域に記憶された画像データの読み出しとデータ処理部で作成された画像データの第３領域に対する書き込みとが排他的に行われる。
また、本発明の波形表示装置は、前記メモリ部が、画像データの入出力ポートを１つのみ備えており、前記表示処理部が、前記入出力ポートを介して、前記メモリ部の前記第１記憶領域に対する画像データの書き込み及び読み出し、並びに、前記メモリ部の前記第２記憶領域に対する画像データの書き込み及び読み出しを行うことを特徴としている。
また、本発明の波形表示装置は、前記表示処理部が、排他的に行われる前記メモリ部の前記第１記憶領域に対する画像データの書き込み及び前記第２記憶領域に記憶された画像データの読み出しと、排他的に行われる前記メモリ部の前記第１記憶領域に記憶された画像データの読み出し及び前記第２記憶領域に対する画像データの書き込みとを垂直帰線期間（ＴＶ２）内に切り替えることを特徴としている。
また、本発明の波形表示装置は、前記メモリ部が、前記第１，第２記憶領域に加えて、前記データ処理部によって作成される画像データを一時的に記憶する第３記憶領域（１５ｃ）を有しており、前記表示処理部が、前記第１，第２，第３記憶領域のうちの画像データの読み出しが行われていない２つの記憶領域のうちの何れか一方の記憶領域に対する画像データの書き込みが終了した場合に、何れか他方の記憶領域に対する画像データの書き込みを開始することを特徴としている。
また、本発明の波形表示装置は、前記表示処理部が、前記第１，第２，第３記憶領域のうちの画像データの読み出しが行われていない２つの記憶領域に対する画像データの書き込みが垂直帰線期間において終了してる場合には、より新しい画像データが書き込まれている記憶領域から画像データの読み出しを行うことを特徴としている。
本発明の波形表示方法は、波形データを用いてディスプレイ（１７）に表示すべき波形の画像データを作成し、当該画像データを前記ディスプレイに出力することにより前記波形の表示を行う波形表示方法において、前記画像データを一時的に記憶する第１，第２記憶領域（１５ａ、１５ｂ）を有するメモリ部（１５、２０）の前記第１記憶領域に対する画像データの書き込みと前記第２記憶領域に記憶された画像データの読み出しとを排他的に行う第１ステップと、前記メモリ部の前記第１記憶領域に記憶された画像データの読み出しと前記第２記憶領域に対する画像データの書き込みとを排他的に行う第２ステップとをを含むことを特徴としている。
【発明の効果】
【００１１】
本発明によれば、データ処理部で作成された画像データの第１領域に対する書き込みと第２記憶領域に記憶された画像データの読み出しとを排他的に行い、メモリ部の第１記憶領域に記憶された画像データの読み出しとデータ処理部で作成された画像データの第３領域に対する書き込みとを排他的に行っているため、取り扱うデータ量が増大しても、前後する画像データが混じった不連続な画像がディスプレイに表示されることはなく、ディスプレイの表示にちらつきが生ずることはないから、表示品質の低下を招くことはないという効果がある。
【発明を実施するための最良の形態】
【００１２】
以下、図面を参照して本発明の実施形態による波形表示装置及び波形表示方法について詳細に説明する。
【００１３】
〔第１実施形態〕
図１は、本発明の第１実施形態による波形表示装置を備える波形測定装置の要部構成を示すブロック図である。尚、本実施形態では、波形表示装置が波形測定装置の一種であるオシロスコープに設けられた態様について説明する。図１に示す通り、波形測定装置１は、入力回路１１、Ａ／Ｄ変換回路１２、データ処理回路１３（データ処理部）、アクイジションメモリ１４、表示メモリ部１５（メモリ部）、表示処理回路１６（表示処理部）及びディスプレイ１７を備えており、入力端子Ｔ１から入力される被測定信号の経時変化を示す波形をディスプレイ１７に表示する。
【００１４】
入力回路１１は、インピーダンス変換回路や増幅回路（プリアンプ）等を備えており、入力端子Ｔ１を介して入力される被測定信号を必要に応じて増幅して出力する。Ａ／Ｄ変換回路１２は、入力回路１１から出力される信号に対して標本化及び量子化を行い、その信号をディジタル信号の波形データに変換する。尚、図１においては図示を省略しているが、本実施形態の波形測定装置１は複数チャネル（例えば、４チャネル）の同時測定が可能であり、上記の入力端子Ｔ１、入力回路１１、及びＡ／Ｄ変換回路１２は、チャネル数分だけ（４つずつ）それぞれ設けられる。
【００１５】
データ処理回路１３は、Ａ／Ｄ変換回路１２で変換された波形データをアクイジションメモリ１４に格納するとともに、アクイジションメモリ１４に記憶された波形データを必要に応じて読み出してディスプレイ１７に表示すべき波形の画像データを作成する。アクイジションメモリ１４は、Ａ／Ｄ変換回路１２で変換された波形データを記憶するＲＡＭ等からなるメモリである。
【００１６】
表示メモリ部１５は、データ処理回路１３で作成された画像データを一時的に記憶する２つの表示メモリ１５ａ，１５ｂ（第１，第２記憶領域）を備える。これら表示メモリ１５ａ，１５ｂは、物理的に異なる２つのメモリチップを実装することによって実現することができる。或いは、１つのメモリチップのアドレス空間をアドレスを用いて論理的に２つの領域に分けることによっても実現できる。
【００１７】
表示メモリ部１５は、画像データの入出力ポートを１つのみ備える。このため、表示メモリ１５ａに対する画像データの書き込み、表示メモリ１５ａからの画像データの読み出し、表示メモリ１５ｂに対する画像データの書き込み、及び表示メモリ１５ｂからの画像データの読み出しの何れか１つのみを一時に行うことができ、これらのうちの何れか２つ以上を同時に行うことはできないという制約がある。
【００１８】
表示処理回路１６は、データ処理回路１３によって作成された画像データを表示メモリ部１５に一時的に書き込むとともに、表示メモリ部１５に書き込まれた画像データを所定のタイミングで１ライン（１走査線）分ずつ読み出して順次ディスプレイ１７に出力する。尚、表示メモリ部１５からの画像データの読み出しが滞るとディスプレイ１７の表示が乱れてしまうため、表示メモリ部１５の表示メモリ１５ａ，１５ｂからの画像データの読み出しは、これらに対する画像データの書き込みよりも優先される。
【００１９】
ここで、表示メモリ部１５の表示メモリ１５ａ，１５ｂに対する画像データの書き込み及び読み出しには上述した制約がある。このため、表示処理回路１６は、表示メモリ部１５が備える１つの入出力ポートを介して、表示メモリ部１５の表示メモリ１５ａに対する画像データの書き込みと表示メモリ１５ｂに記憶された画像データの読み出しとを排他的に行い、表示メモリ部１５の表示メモリ１５ａに記憶された画像データの読み出しと表示メモリ１５ｂに対する画像データの書き込みとを排他的に行う。
【００２０】
表示処理回路１６は、排他的に行われる表示メモリ部１５の表示メモリ１５ａに対する画像データの書き込み及び表示メモリ１５ｂに記憶された画像データの読み出しと、排他的に行われる表示メモリ部１５の表示メモリ１５ａに記憶された画像データの読み出し及び表示メモリ１５ｂに対する画像データの書き込みとを垂直帰線期間内に切り替える。このため、ある垂直表示期間においては、表示メモリ部１５の表示メモリ１５ａに対する画像データの書き込みと表示メモリ１５ｂに記憶された画像データの読み出しとが排他的に行われ、次の垂直表示期間においては、表示メモリ部１５の表示メモリ１５ａに記憶された画像データの読み出しと表示メモリ１５ｂに対する画像データの書き込みとが排他的に行われる。
【００２１】
ディスプレイ１７は、例えば液晶表示装置又はＣＲＴ（Cathode Ray Tube）を備えており、測定された波形やユーザによって操作される各種メニュー等が表示される。尚、ユーザの利便性を高めるために、ディスプレイ１７にタッチパネル（図示省略）を設けて、ユーザがディスプレイ１７の表示画面を押圧することにより画面に表示された各種メニューの操作を可能とするのが望ましい。
【００２２】
次に、上記構成における波形測定装置１の動作について説明する。図２は、本発明の第１実施形態による波形表示装置の動作を説明するためのタイミングチャートである。被測定信号の測定を行うにあたり、ユーザは波形測定装置１の電源を投入するとともに、各チャネル毎に設けられた入力端子Ｔ１の少なくとも１つにプローブを接続する。そして、ユーザがプローブを操作して、その先端を被測定部に電気的に接続させることにより波形データの取り込みが開始される。
【００２３】
プローブを介して図１に示す入力端子Ｔ１から入力された被測定信号は、入力回路１１において必要に応じて増幅されて出力される。入力回路１１から出力された被測定信号は、Ａ／Ｄ変換回路１２において標本化及び量子化が行われて二値化され、ディジタル信号である波形データに変換され、データ処理回路１３によってアクイジションメモリ１４に書き込まれる。
【００２４】
アクイジションメモリ１４に書き込まれた波形データは必要に応じてデータ処理回路１３によって読み出され、読み出された波形データを用いてディスプレイ１７に表示すべき波形の画像データが作成される。データ処理回路１３で作成された画像データは、表示処理回路１６に出力され、表示処理回路１６によって表示メモリ部１５に一時的に書き込まれるとともに、所定のタイミングで表示メモリ部１５から読み出されてディスプレイ１７に出力される。これにより、被測定信号の波形がディスプレイ１７に表示される。
【００２５】
ここで、表示処理回路１６及びディスプレイ１７は、図２に示す垂直同期信号及び水平同期信号に同期して動作する。このため、表示処理回路１６からディスプレイ１７に対しては、図２に示す通り、１ライン（１走査線）分の画像データ（ラインデータ）を水平同期信号に同期して順次出力する必要がある。尚、図２に示す例では、ディスプレイ１７の走査線の数をＮ（Ｎは２以上の整数）としている。
【００２６】
ディスプレイ１７において実際に画像データの表示が行われる期間は、図２に示す表示期間で表される。つまり、１画面分の画像データの表示は垂直表示期間ＴＶ１内のみで行われ、垂直帰線期間ＴＶ２内では行われない。また、垂直表示期間ＴＶ１内であっても、各走査線毎の表示は水平表示期間ＴＨ１内のみで行われ、水平帰線期間ＴＨ２内では行われない。前述した通り、表示メモリ部１５の表示メモリ１５ａ，１５ｂからの画像データの読み出しは、これらに対する画像データの書き込みよりも優先されるため、本実施形態では、表示が行われない垂直帰線期間ＴＶ２及び水平帰線期間ＴＨ２を利用して表示メモリ１５ａ，１５ｂに対する画像データの書き込みを行っている。
【００２７】
いま、図２中の時刻ｔ１において、既に表示メモリ１５ａに画像データが書き込まれているとする。すると、図２中の時刻ｔ１から時刻ｔ３までの期間Ｔ１１において、表示メモリ１５ａからの画像データの読み出しと表示メモリ１５ｂに対する画像データの書き込みとが表示処理回路１６によって排他的に行われる（第１ステップ）。この動作を図２を参照して説明すると以下の通りである。
【００２８】
つまり、時刻ｔ１から時刻ｔ２までは垂直帰線期間ＴＶ２であるため、表示メモリ１５ａからの画像データの読み出しは行われず、表示メモリ１５ｂに対する画像データの書き込みのみが表示処理回路１６によって行われる。時刻ｔ２が経過すると、垂直表示期間ＴＶ１になり１画面分の画像データの表示が開始される。ここで、図２に示す通り、時刻ｔ２が経過しても表示メモリ１５ｂに対する画像データの書き込みが終了しないときには、表示処理回路１６は、表示メモリ１５ｂに対する画像データの書き込みを中断し、水平表示期間ＴＨ１が到来した時点で表示メモリ１５ａからの画像データの読み出しを開始する。
【００２９】
次いで、１ライン（１走査線）分の画像データの読み出しが終了し、水平帰線期間ＴＨ２が到来すると、表示処理回路１６は先に中断した表示メモリ１５ｂに対する画像データの書き込みを再開する。その水平帰線期間ＴＨ２が経過するまでに表示メモリ１５ｂに対する画像データの書き込みが終了しないときには、表示処理回路１６は表示メモリ１５ｂに対する画像データの書き込みを再度中断し、表示メモリ１５ａからの画像データの読み出しを開始する。
【００３０】
以下、同様に１画面分の画像データが表示メモリ１５ｂに書き込まれるまで、水平表示期間ＴＨ１内における表示メモリ１５ａからの画像データの読み出しと、水平帰線期間ＴＨ２内における表示メモリ１５ｂに対する画像データの書き込みとが交互に行われる。そして、表示メモリ１５ｂに対する１画面分の画像データの書き込みが終了すると、水平表示期間ＴＨ１内における表示メモリ１５ａからの画像データの読み出しのみが順次行われる。
【００３１】
次に、時刻ｔ３になると、期間Ｔ１１で行われていた表示メモリ１５ａからの画像データの読み出し及び表示メモリ１５ｂに対する画像データの書き込みが、表示メモリ１５ａに対する画像データの書き込み及び表示メモリ１５ｂからの画像データの読み出しに切り替えられる。すると、図２中の時刻ｔ３から次の垂直帰線期間ＴＶ２が到来するまでの期間Ｔ１２において、表示メモリ１５ａに対する画像データの書き込みと表示メモリ１５ｂからの画像データの読み出しとが表示処理回路１６によって排他的に行われる（第２ステップ）。
【００３２】
尚、期間Ｔ１２における表示メモリ１５ａに対する画像データの書き込み及び表示メモリ１５ｂからの画像データの読み出しは、期間Ｔ１１における表示メモリ１５ｂに対する画像データの書き込み及び表示メモリ１５ａからの画像データの読み出しと同様に行われる。つまり、時刻ｔ３から時刻ｔ４までの垂直帰線期間ＴＶ２内においては、表示メモリ１５ｂからの画像データの読み出しは行われず、表示メモリ１５ａに対する画像データの書き込みのみが表示処理回路１６によって行われる。
【００３３】
ここで、時刻ｔ４が経過しても表示メモリ１５ａに対する画像データの書き込みが終了しないときには、期間Ｔ１２内の垂直表示期間ＴＶ１において、１画面分の画像データが表示メモリ１５ａに書き込まれるまで、水平表示期間ＴＨ１内における表示メモリ１５ｂからの画像データの読み出しと、水平帰線期間ＴＨ２内における表示メモリ１５ａに対する画像データの書き込みとが交互に行われる。そして、表示メモリ１５ａに対する１画面分の画像データの書き込みが終了すると、水平表示期間ＴＨ１内における表示メモリ１５ｂからの画像データの読み出しのみが順次行われる。
【００３４】
以上説明した通り、本実施形態においては、データ処理回路１３で生成される画像データを一時的に記憶する２つの表示メモリ１５ａ，１５ｂを表示メモリ部１５に設け、表示処理回路１６によって、表示メモリ部１５の表示メモリ１５ａに対する画像データの書き込みと表示メモリ１５ｂに記憶された画像データの読み出しとを排他的に行い、表示メモリ部１５の表示メモリ１５ａに記憶された画像データの読み出しと表示メモリ１５ｂに対する画像データの書き込みとを排他的に行っている。このため、取り扱うデータ量が増大しても、前後する画像データが混じった不連続な画像がディスプレイ１７に表示されることはなく、ディスプレイ１７の表示にちらつきが生ずることはないから、表示品質の低下を招くことはない。
【００３５】
〔第２実施形態〕
図３は、本発明の第２実施形態による波形表示装置を備える波形測定装置の要部構成を示すブロック図である。尚、本実施形態においても、波形表示装置が波形測定装置の一種であるオシロスコープに設けられた態様について説明する。図３に示す通り、波形測定装置２は、図１に示す表示メモリ部１５及び表示処理回路１６に代えて表示メモリ部２０及び表示処理回路２１を備える。
【００３６】
表示メモリ部２０は、図１に示す表示メモリ１５ａ，１５ｂに加えてデータ処理回路１３で作成された画像データを一時的に記憶する表示メモリ１５ｃ（第３記憶領域）を備える。この表示メモリ部２０の表示メモリ１５ａ〜１５ｃは、物理的に異なる３つのメモリチップを実装することによって実現することができ、或いは、１つのメモリチップのアドレス空間をアドレスを用いて論理的に３つの領域に分けることによっても実現できる。
【００３７】
表示メモリ部２０は、図１に示す表示メモリ部１５と同様に、画像データの入出力ポートを１つのみ備える。このため、表示メモリ１５ａに対する画像データの書き込み、表示メモリ１５ａからの画像データの読み出し、表示メモリ１５ｂに対する画像データの書き込み、表示メモリ１５ｂからの画像データの読み出し、表示メモリ１５ｃに対する画像データの書き込み、及び表示メモリ１５ｃからの画像データの読み出しの何れか１つのみを一時に行うことができ、これらのうちの何れか２つ以上を同時に行うことはできないという制約がある。
【００３８】
表示処理回路２１は、図１に示す表示処理回路１６と同様に、データ処理回路１３によって作成された画像データを表示メモリ部２０に一時的に書き込むとともに、表示メモリ部２０に書き込まれた画像データを所定のタイミングで１ライン（１走査線）分ずつ読み出して順次ディスプレイ１７に出力する。尚、表示処理回路２１においても、表示メモリ部２０の表示メモリ１５ａ〜１５ｃからの画像データの読み出しは、これらに対する画像データの書き込みよりも優先される。
【００３９】
ここで、表示メモリ部２０における上記の制約から、表示処理回路２１は、表示メモリ部２０が備える１つの入出力ポートを介して、表示メモリ部２０の表示メモリ１５ａ〜１５ｃのうちの何れか一つの表示メモリからの画像データの読み出しと、残りの表示メモリのうちの何れか一方に対する画像データの書き込みとを排他的に行う。また、表示処理回路２１は、垂直帰線期間内において、画像データの読み出しを行う表示メモリと、画像データの書き込みを行う表示メモリとの切り替えを行う。
【００４０】
表示処理回路２１は、表示メモリ部２０が備える表示メモリ１５ａ〜１５ｃのうちの画像データの読み出しが行われていない２つの表示メモリのうちの一方の表示メモリに対する画像データの書き込みが終了した場合には、他方の表示メモリに対する画像データの書き込みを開始する。これは、データ処理回路１３から出力される画像データを第１実施形態よりも効率良く表示メモリ部２０に記憶させるために行われる。
【００４１】
また、表示処理回路２１は、表示メモリ部２０が備える表示メモリ１５ａ〜１５ｃのうちの画像データの読み出しが行われていない２つの表示メモリに対する画像データの書き込みが垂直帰線期間において共に終了してる場合には、より新しい画像データが書き込まれている表示メモリから画像データの読み出しを行う。これは、ディスプレイ１７に表示可能な状態にある画像データが複数ある場合に、より新しい画像データの表示をすることで、時間的に古い不要な画像データを表示する処理を省略するためである。
【００４２】
次に、上記構成における波形測定装置２の動作について説明する。図４は、本発明の第２実施形態による波形表示装置の動作を説明するためのタイミングチャートである。尚、ここでは、重複した説明を避けるために、被測定信号の波形データが取得されてアクイジションメモリ１４に格納されており、この波形データを用いてディスプレイ１７に表示すべき波形の画像データがデータ処理回路１３によって作成されているとする。
【００４３】
いま、図４中の時刻ｔ１において、既に表示メモリ１５ａに画像データが書き込まれているとする。すると、図４中の時刻ｔ１から時刻ｔ３までの期間Ｔ１１において、表示メモリ１５ａからの画像データの読み出しと表示メモリ１５ｂ又は表示メモリ１５ｃに対する画像データの書き込みとが表示処理回路１６によって排他的に行われる（第１ステップ）。この動作を図４を参照して説明すると以下の通りである。
【００４４】
つまり、時刻ｔ１から時刻ｔ２までの垂直帰線期間ＴＶ２内においては、表示メモリ１５ａからの画像データの読み出しは行われず、表示メモリ１５ｂに対する画像データの書き込みのみが表示処理回路１６によって行われる。ここで、時刻ｔ２が経過しても表示メモリ１５ｂに対する画像データの書き込みが終了しないときには、期間Ｔ１１内の垂直表示期間ＴＶ１において、１画面分の画像データが表示メモリ１５ｂに書き込まれるまで、水平表示期間ＴＨ１内における表示メモリ１５ａからの画像データの読み出しと、水平帰線期間ＴＨ２内における表示メモリ１５ｂに対する画像データの書き込みとが交互に行われる。
【００４５】
この垂直表示期間ＴＶ１内において表示メモリ１５ｂに対する１画面分の画像データの書き込みが終了すると、表示処理回路１６は、図４に示す通り表示メモリ１５ｃに対する画像データの書き込みを開始する。つまり、垂直表示期間ＴＶ１の残りの期間において、水平表示期間ＴＨ１内における表示メモリ１５ａからの画像データの読み出しと、水平帰線期間ＴＨ２内における表示メモリ１５ｃに対する画像データの書き込みとが交互に行われる。
【００４６】
次に、時刻ｔ３になると、時刻ｔ３から時刻ｔ４までは垂直帰線期間ＴＶ２であるため、表示メモリ１５ａからの画像データの読み出しは行われず、表示メモリ１５ｃに対する画像データの書き込みのみが表示処理回路１６によって行われる。いま、図４中の時刻ｔ３から次の垂直帰線期間ＴＶ２が到来するまでの期間Ｔ１２における期間垂直帰線期間ＴＶ２内の時刻ｔ１１において、表示メモリ１５ｃに対する１画面分の画像データの書き込みが終了したとすると、表示処理回路１６は画像データの読み出しを行う表示メモリと画像データの書き込みを行う表示メモリとの切り替えを行う。
【００４７】
ここで、図４に示す例では、時刻ｔ１１において１画面分の画像データの書き込みが終了している２つの表示メモリ１５ｂ，１５ｃが存在する。このため、表示処理回路２１は、より新しい画像データが書き込まれている表示メモリ（表示メモリ１５１ｃ）からの画像データの読み出しを開始する。尚、表示処理回路２１が表示メモリ１５ｃからの画像データの読み出しを開始するのは、時刻ｔ４が経過して期間Ｔ１２における垂直表示期間ＴＶ１が到来した後である。他方、表示処理回路１６は、期間Ｔ１１において画像データの読み出しを行っていた表示メモリ１５ｂに対して画像データの書き込みを開始する。
【００４８】
このようにして、期間Ｔ１２における時刻ｔ１１から時刻ｔ４までの間は、表示メモリ１５ａに対する画像データの書き込みのみが行われ、時刻ｔ４から次の垂直帰線期間ＴＶ２が到来するまでの間は、水平表示期間ＴＨ１内における表示メモリ１５ｃからの画像データの読み出しと、水平帰線期間ＴＨ２内における表示メモリ１５ａに対する画像データの書き込みとが交互に行われる（第２ステップ）。
【００４９】
以上、垂直帰線期間ＴＶ２において１画面分の画像データの書き込みが終了している２つの表示メモリ１５ｂ，１５ｃが存在する場合の動作を例に挙げて説明した。垂直帰線期間ＴＶ２において１画面分の画像データの書き込みが終了した表示メモリが１つのみであり、他の表示メモリに対する画像データの書き込みが終了していない場合には、画像データの書き込みが終了していない表示メモリに対する画像データの書き込みが継続されるとともに、画像データの書き込みが終了した表示メモリからの画像データの読み出しが次の垂直表示期間ＴＶ１において行われる。
【００５０】
以上説明した通り、本実施形態においては、表示メモリ部２０の表示メモリ１５ａ〜１５ｃのうちの何れか一つの表示メモリからの画像データの読み出しと、残りの表示メモリのうちの何れか一方に対する画像データの書き込みとを排他的に行っている。このため、取り扱うデータ量が増大しても、前後する画像データが混じった不連続な画像がディスプレイ１７に表示されることはなく、ディスプレイ１７の表示にちらつきが生ずることはないから、表示品質の低下を招くことはない。
【００５１】
また、本実施形態では、表示メモリ部２０が備える表示メモリ１５ａ〜１５ｃのうちの画像データの読み出しが行われていない２つの表示メモリのうちの一方の表示メモリに対する画像データの書き込みが終了した場合には、他方の表示メモリに対する画像データの書き込みを開始している。これにより、データ処理回路１３で生成された画像データを第１実施形態よりも効率的に表示メモリ部２０に記憶させることができ、ちらつきの発生を第１実施形態よりも抑制することができる。
【００５２】
以上、本発明の一実施形態による波形表示装置及び波形表示方法について説明したが、本発明は上記実施形態に制限されることなく、本発明の範囲内で自由に変更が可能である。例えば、上記実施形態では、２つの表示メモリ１５ａ，１５ｂを備える構成及び３つの表示メモリ１５ａ〜１５ｃを備える構成について説明したが、表示メモリの数は４以上であっても良い。
【００５３】
また、上記実施形態では、本発明の波形表示装置が波形測定装置の一種であるオシロスコープに組み込まれた態様について説明したがオシロスコープ以外の他の波形測定装置に設けることも可能である。尚、他の波形測定装置としては、スペクトラムアナライザー、シリアルバスアナライザー、ロジックアナライザー、チャートレコーダ、電力計等の波形測定装置が挙げられる。
【図面の簡単な説明】
【００５４】
【図１】本発明の第１実施形態による波形表示装置を備える波形測定装置の要部構成を示すブロック図である。
【図２】本発明の第１実施形態による波形表示装置の動作を説明するためのタイミングチャートである。
【図３】本発明の第２実施形態による波形表示装置を備える波形測定装置の要部構成を示すブロック図である。
【図４】本発明の第２実施形態による波形表示装置の動作を説明するためのタイミングチャートである。
【符号の説明】
【００５５】
１３              データ処理回路
１５              表示メモリ部
１５ａ〜１５ｃ    表示メモリ
１６              表示処理回路
１７              ディスプレイ
２０              表示メモリ部
２１              表示処理回路
ＴＶ２            垂直帰線期間
【図１】
2010096517.tif 000003
【図２】
2010096517.tif 000004
【図３】
2010096517.tif 000005
【図４】
2010096517.tif 000006